(57)【要約】      （修正有）【課題】清掃体の十分な取り付け強度を担保でき、かつ清掃体を容易に取り付け・取り外しし得るようにする。【解決手段】円筒状被清掃面のその周面に沿って清掃体１３を摺接させる工作機械部品用クリーナＡ３である。清掃体は、円筒状であって、清掃部となるクリーナ本体１０の前記被清掃面に対向する円筒状清掃面にその軸方向の溝１１に嵌って取り付けられ、その溝の長さ方向の開口は内側より幅狭に形成されて、溝に嵌った清掃体が抜け出し難くなっている。清掃体の溝への嵌め込みは、溝の端面開口から清掃体を溝内に挿し通したり、幅狭の開口から清掃体を押し込んだりして行う。一方、端面の孔に棒材等を差し込み、その棒材を介して清掃体を溝から引き出せば、溝から清掃体を容易に取り出すことができる。クリーナ本体には適宜に把持棒２０を取り外し可能とする。【選択図】図１０
2019098489.tif 000002
【特許請求の範囲】
【請求項１】
円筒状被清掃面のその周面に沿って棒状清掃体（１３）を摺接させる工作機械部品用クリーナ（Ａ１、Ａ２、Ａ３、Ａ４、Ａ５）であって、前記棒状清掃体（１３）は、清掃部となる棒状クリーナ本体（１０）の前記被清掃面に対向する清掃面にその軸方向の溝（１１）に嵌って取り付けられており、その溝（１１）の長さ方向の開口（１１ｂ）は内側より幅狭に形成されている工作機械部品用クリーナ。
【請求項２】
上記クリーナ本体１０はその先端部が軸方向所要長さ（Ｌ）同一太さとなってその同一太さ部分から後端に向かって徐々に太くなっている請求項１に記載の工作機械部品用クリーナ。
【請求項３】
上記棒状清掃体（１３）が弾性材からなる請求項１又は２に記載の工作機械部品用クリーナ。
【請求項４】
上記棒状清掃体（１３）が端面に開口する孔（１３ａ）を有する請求項１乃至３の何れか一つに記載の工作機械部品用クリーナ。
【請求項５】
上記溝（１１）の縦断面は開口（１１ｂ）が切り欠けた円形状であり、上記棒状清掃体（１３）も弾性体からなる縦断面円形状であり、前記溝（１１）の径（ｄ）と棒状清掃体（１３）の径（ｒ）の関係をｄ＜ｒとした請求項１乃至４の何れか一つに記載の工作機械部品用クリーナ。
【請求項６】
上記被清掃面の端にその外側又は内側に延びる被清掃端面を有する被清掃面を清掃する請求項１乃至５の何れか一つに記載の工作機械部品用クリーナ（Ａ３、Ａ４）であって、上記清掃面の端に、前記被清掃端面に対向する清掃端面を有し、その清掃端面の前記外側又は内側に延びる溝（１１）に棒状清掃体（１３）が嵌って取り付けられており、その溝（１１）の長さ方向の開口（１１ｂ）は内側より幅狭に形成されている工作機械部品用クリーナ。
【請求項７】
上記クリーナ本体（１０）の外周面に起伏片（１９）を設け、その起伏片（１９）の外面に棒状清掃体（１３）を設けた請求項１乃至６の何れか一つに記載の工作機械部品用クリーナ。
【請求項８】
上記クリーナ本体（１０）の後端に把持棒（２０）を同一軸上に取り外し可能に延設した請求項１乃至７の何れか１つに記載の工作機械部品用クリーナ。
【請求項９】
上記把持棒（２０）を筒状として、その筒状内部（２０ａ）に上記棒状清掃体（１３）の予備を収納するようにした請求項８に記載の工作機械部品用クリーナ。
【発明の詳細な説明】
【技術分野】
【０００１】
この発明は、工作機械の主軸の嵌合穴やその工具ホルダの工具チャッキング穴（取付穴）などの機械部品を清掃する工作機械部品用クリーナに関するものである。
【背景技術】
【０００２】
工作機械の主軸には、工具ホルダを介して各種の工具が取付けられる。その主軸への工具ホルダの取付けや工具ホルダへの工具の取付けは、主軸の嵌合穴に工具ホルダのシャンクを嵌め込んだり、工具ホルダの工具チャッキング穴に工具のシャンクを嵌め込んだりして行う。
このシャンクの嵌め込み方式として、図８（ｂ）に示すＢＴシャンク式（ＭＡＳ規格）等が一般的であるが、近年では、工作機械主軸と工具ホルダを結合する際の精度や剛性を高めるために、その結合部をテーパ面とフランジ面で拘束する２面拘束方式が採用されている。この方式のシャンクは中空シャンクと呼ばれ、中空・ショートテーパが特徴である。例えば、ＨＳＫ規格等がこれに該当する（図９〜図１１参照）。
【０００３】
その何れのシャンク式（規格）であっても、嵌合穴の内面や工具ホルダのシャンク外周面、工具チャッキング穴は、切削油や切削屑が入り込んだり付着したりするため、定期的に清掃する必要がある。
このため、従来から、様々な工作機械部品等に形成された空洞部（穴）等を清掃するための種々のクリーナ（清掃具）が提案されている。例えば、把持部とこれの先端に連設した棒状清掃部とを有し、その清掃部の外周面長さ方向に清掃体を設けたものがある（特許文献１、実用新案登録請求の範囲、第１図、第２図等参照）。
このクリーナは、例えば、主軸の嵌合穴に把持部を持って清掃部を挿入し、把持部をその軸回りに回転させて嵌合穴内面に清掃体を摺接することにより、清掃体で嵌合穴内面を清掃する。
【０００４】
特に、上記ＨＳＫ規格等の中空テーパシャンクの結合部（嵌合穴）のクリーナは、クランプ部品（例えば、図１０（ｂ）のドロバーＤ、コレットＣ１参照）を回避しながら主軸の嵌合穴を清掃するために、薄肉で弾性当接する清掃部を備える必要がある（特許文献２、図1、図２、図３等参照）。
また、清掃体を清掃部から着脱可能としたクリーナもある（特許文献３図１〜図５参照）。
【先行技術文献】
【特許文献】
【０００５】
【特許文献１】実公平３−５７４０２公報
【特許文献２】特開２００１−１５０２９０公報
【特許文献３】米国特許第５７８２５９２明細書
【発明の概要】
【発明が解決しようとする課題】
【０００６】
上記クリーナの従来品は、清掃体がセーム皮等からなって、その清掃体を棒状清掃部の外面に接着で固定している。また、前記外面の溝に清掃体を嵌め込んでいるものもあるが、その嵌め込みは、清掃体の清掃部外周面への位置決めであり、清掃体は溝内に接着固定している（特許文献１明細書第２頁第３欄第２９〜３０行、第２図参照）。
清掃体は、損傷や汚れがひどいため、頻繁に取り替える必要がある。しかし、上記のように、従来は、セーム皮等の清掃体を接着等で固定しているため、容易に剥ぎ取ることができず、その交換が容易でなかった。
清掃体を着脱可能にしたクリーナは、その清掃体両端のフック（特許文献３図５の符号４５、５０参照）を清掃部に係止してその着脱を可能としているため、その取り付け強度が低い場合があり、清掃中に外れる恐れがある。
【０００７】
また、特に、ＨＳＫ規格等の主軸の嵌合穴においては、工具ホルダＴ３の開口部内径ｓが１４ｍｍ程度から６７ｍｍの大小様々のものがあり（図１０参照）、その内径ｓに入るクランプ部品（上記図１０（ｂ）のドロバーＤ等）も同等の外径であるため、布やペーパーなどを使って手で拭く場合に指が入らず、さらに指が入る大きさの穴であっても、クランプ部品が穴の開口付近に存在するため、指が入らず清掃が困難である。さらに、そのクランプ部品を回避しながら主軸の嵌合穴を清掃するために、薄肉で弾性当接する清掃部を備える必要がある（特許文献２、図1、図２、図３等参照）。
【０００８】
この発明は、以上の実状の下、清掃体の十分な取り付け強度を担保でき、かつ清掃体を容易に取り付け・取り外しし得るようにすることを課題とする。
【課題を解決するための手段】
【０００９】
上記課題を解決するために、この発明は、棒状清掃体をクリーナ本体の開口幅狭の溝に嵌めて取り付けることとしたのである。棒状清掃体は溝に嵌った後は、幅狭の開口から抜け出なくなって取り付け強度が高いものとなる。
具体的には、円筒状（円錐状も含む）被清掃面のその周面に沿って清掃体を摺接させる工作機械部品用クリーナにおいて、前記清掃体は、清掃部となる棒状クリーナ本体の前記被清掃面に対向する清掃面にその軸方向の溝に嵌って取り付けられており、その溝の長さ方向の開口は内側より幅狭に形成されている構成としたのである。
清掃体は溝に嵌められることから棒状であり、その溝への嵌め込みは、溝の端面開口から清掃体を溝内に挿し通したり、幅狭の開口から清掃体を押し込んだり等して行う。
なお、この発明でいう「棒状」は、筒状の中空の棒状のみならず、無垢（中実）の棒状も含む。
【００１０】
上記クリーナ本体は、同一太さの棒状体、例えば、円柱、円筒、角柱、角筒であったり、円錐状や角錐状のテーパ外周面を有する棒状体としたりすることができるが、その先端部が軸方向所要長さ（図３のＬ参照）同一太さとなってその同一太さ部分から後端に向かって徐々に太くなっている構成とすることができる。例えば、先端部が同一径の円柱状、その円柱状部分（前記所要長さ部分の後端）から後方に向かって徐々に径が大きくなる円錐柱状のテーパ面を有するものとすることができる。前記軸方向所要長さ及びテーパの角度（図１のθ参照）は、下記拭き取りが円滑に行われるように、被清掃面の形状や大きさ等に応じて実験などによって適宜に設定する。
なお、断面形状が円形以外の場合のクリーナ本体の先端部が軸方向所要長さ「同一太さとなっている」とは、クリーナ本体の外周面の各棒状清掃体が描く外周面（外接面、図６（ａ）（ｂ）のｒ１参照）の径が同一の意であり、「徐々に太くなっている」とは、同各棒状清掃体が描く外周面の径が後側に向かって徐々に大きくなるテーパ面となる意である。
【００１１】
以上の構成において、上記棒状清掃体が弾性材からなれば、被清掃面に清掃体を強く押し当て回転させると、清掃体は収縮して溝内周面全体にその押し当て圧力でさらに密着度が増すため、円柱状等の棒状の清掃体であっても溝の中で回転するようなことがなく、取り付け強度はより高いものとなって、被清掃面に強く押し当てられて汚れを確実にとらえて剥ぎ取る。また、被清掃面に凹凸等があってその形状が歪（いびつ）であったり面にわずかな窪みがあったりしても、清掃体がその弾力によってその歪な形状などに倣うため、清掃が円滑に行われる。
このとき、清掃体が円柱状（円筒状も含む）であれば、円筒状被清掃面に対向する清掃面はほぼ線（状）当たりになる。この線当たりの弾性線状体は面状当たりの清掃体よりも被清掃面の形状にフィットし易い。このため、清掃効果も高いものとなる。
さらに、上記清掃体が被清掃面に線当たりとなれば、清掃体の間隔も自ずと広くなって（清掃体の間隔を十分確保することができ）、その間において、剥ぎ取ったゴミなどの汚れを一時的に貯めるスペースを大きく確保できる。また、清掃体をクリーナ本体（回転円周上）に配置する数を多く設置することができる。回転円周上に清掃体が多く配置されれば、回転角が小さくても全面を清掃でき、清掃効率が高いものとなる。
【００１２】
棒状の弾性材は、上記円柱状、円筒状や角柱状、角筒状等と任意であるが、清掃体が筒状（中空）であれば、変形量の度合いが大きいため、被清掃面の形状へのフィット性も向上し、清掃効果もより高いものとなるとともに、径方向の伸縮が容易となって弾性体の清掃体を溝に押し込むことがより容易となる。さらに、清掃体は端面に開口する孔を有するものとなるため、端面の孔に棒材等を差し込み、その棒材を介して清掃体を溝から引き出せば、溝から清掃体を容易に取り出すことができる。この端面開口は、筒状の中空の物に限らず、無垢（中実）の棒状体であっても、その端面に棒材等の差し込み孔を別途に形成して設けるようにし得る。
【００１３】
ここで、穴内面からなる被清掃面が全長に亘って同一径の円筒状であると、通常、穴内面とクリーナ本体外面とに隙間が生じるため、クリーナをその軸心回りに回転させるだけではきれいに拭き取れない恐れがある。しかし、清掃体が弾性材からなれば、清掃体が膨縮して穴内面に倣い同径となるため、クリーナを穴に押し込むことができ、押し込めれば、回転させて綺麗に拭き取ることができる。このとき、上記のように、先端部が軸方向所要長さ同一太さとなってその同一太さ部分から後端に向かって徐々に太くなっていると、例えば、図３に示すクリーナＡ２のように、テーパ面とストレート面が連続しているものにあっては、この作用による利点が顕著となる。
【００１４】
さらに、溝の縦断面積に対し弾性材からなる棒状清掃体の縦断面積を大きくすれば、清掃体を溝に嵌める際、清掃体が収縮して溝内に押し込まれるため、嵌った後、清掃体は自身の弾力によって溝内周面全体に密着して十分な取り付け強度を有するものとなる。すなわち、溝の縦断面は開口が切り欠けた円形状であり、清掃体も縦断面円形状であり、溝の円形状径ｄと清掃体の円形状径ｒとの関係を（ｄ＜ｒ）とする。例えば、その比を、０．８５≦ｄ／ｒ≦０．９７とすることができる。ｄ／ｒが０．８未満であると、溝に清掃体を押し込みにくくなって作業性が悪くなり、一方、０．９７を超えると、溝に嵌った清掃体の反発弾力が十分でなく、十分な取り付け強度を担保できない場合がある。
【００１５】
上記各構成の工作機械部品用クリーナにおいて、円筒状被清掃面の端にその外側又は内側に延びる被清掃端面を有するものにあっては、上記清掃面の端に、前記被清掃端面に対向する清掃端面を有し、その清掃端面に前記外側又は内側に延びる溝に棒状清掃体が嵌って取り付けられており、その溝の長さ方向の開口は内側より幅狭に形成されている構成とすることができる。
このようにすれば、穴などの円筒状被清掃面のみならず、その清掃時に、その外側又は内側に延びる被清掃端面を清掃することができる。
【００１６】
また、上記クリーナ本体の外周面に起伏片を設け、その起伏片の外面に清掃体を設ければ、その起伏片の起伏度合いに応じた大きさ（径）の穴内面の清掃を行うことができる。このため、鍔Ｆ等のクランプ部品が穴の開口付近にあっても（図９参照）、起伏片の倒伏によってそのクランプ部品を回避できてその穴を清掃することができる。
【００１７】
上記クリーナ本体は棒状清掃部からなり、その清掃部に把持棒を取り外し可能に延設したものとすれば、把持棒を外すことによって、狭い場所に清掃部を導いて清掃することができ、例えば、清掃部をその後面を掌で押しながら回すことによって清掃作業を行うことができる。
その把持棒を筒状とすれば、その筒状内部に予備の清掃体や他の部材等を収納することができる。このとき、その収納スペースの開口はねじ込み式やビス止めなどとし得る蓋で閉じることができる。さらに、把持棒や蓋には磁石を内蔵したり、付着させたり、フックを設けたり、チェーン等のストラップを設けたり等して、工作機械周辺やその部品収納スペース、作業スペースにクリーナを設置し易い手段を設けることができる。
【発明の効果】
【００１８】
この発明は、以上のように構成したので、清掃体の十分な取り付けを担保でき、かつ清掃体の取り付け・取り外しを容易に行うことができる。
【図面の簡単な説明】
【００１９】
【図１】この発明に係るクリーナの一実施形態を示し、（a）は斜視図、（ｂ）は左側面図、（ｃ）は作用説明用拡大部分図
【図２】同実施形態の分解斜視図
【図３】他の実施形態の斜視図
【図４】さらに他の実施形態の斜視図
【図５】さらに他の実施形態の切断正面図
【図６】さらに他の実施形態を示し、（a）は斜視図、（ｂ）は左側面図、（ｃ）は正面図
【図７】図１の実施形態の他例を示し、（ａ）は一部断面正面図、（ｂ）は一部断面分解正面図、（ｃ）は把持棒の左側面図
【図８】図１で示す実施形態の作用を示し、（ａ）はその概略断面図、（ｂ）はクリーナ対象物の説明用概略断面図
【図９】図３及び図６で示す実施形態の作用説明用断面図
【図１０】図４で示す実施形態の作用を示し、（ａ）はその概略断面図、（ｂ）はクリーナ対象物の説明用概略断面図
【図１１】図５で示す実施形態の作用説明用断面図
【図１２】この発明に係るクリーナの一実施形態の把持棒の変形例を示す部分斜視図
【発明を実施するための最良の形態】
【００２０】
この発明に係るクリーナの一実施形態を図１、図２に示し、この実施形態のクリーナＡ１（以下、Ａ２等を含めて、総称符号：Ａ）は、図８に示すマシニングセンターの主軸（main spindle）Ｍの工具ホルダ嵌合穴Ｈ等を清掃するものであり、円錐台状のクリーナ本体１０と、そのクリーナ本体１０の後端に連設される把持棒２０とからなる。クリーナ本体１０、把持棒２０は金属や樹脂製とする。嵌合穴Ｈは、通常、芯を取るため円錐台状である。
【００２１】
クリーナ本体１０は、前面開口１１ｃの中空円錐棒状であって、その外周面の周囲等間隔に長さ方向（軸方向）の溝１１が形成されている。清掃面となる外周面の傾斜度合い（テーパ度合θ）は、被清掃面となる穴内面の傾斜度合いに対応して適宜に設定すれば良いが、穴Ｈの円錐台状周面の傾斜度合と同じとすることができる。
溝１１の本数は任意であり、必ずしも等間隔である必要はない。要は、後述の清掃が円滑に行い得れば、その数や間隔は適宜であり、実験などによって適宜に決定すればよい。
溝１１は、縦断面一部（開口１１ｂ）欠如の円形をしている。このため、クリーナ本体１０の先端面の開口１１ａも一部が欠けた円状となって、同外周面の軸方向の開口１１ｂはその外周面全長に至っているとともに、その開口１１ｂの幅ｔ１は円形溝１１の径ｔ２より狭くなっている（ｔ１＜ｔ２）。その狭さ度合いは、下記の棒状清掃体１３を溝１１に嵌め込みし得る反面、摺動程度では抜け出ないように、実験等によって適宜に設定する。溝１１は、ドリル等で形成する。
【００２２】
清掃体１３は、オレフィン系熱可塑性連続気泡の多孔質プラスチック製の円筒状の棒状部材からなり、図１に示すように、溝１１に押し込み嵌め込みで取り付ける。このとき、清掃体１３が多孔質プラスチックの弾性材からなるため、収縮変形し易くその嵌め込みは容易である（図１（ｃ）の実線から鎖線参照）。また、前記気泡は微細であり、かつ清掃体表面が平滑であることから、嵌め込みは容易である。
棒状清掃体１３を溝１１に嵌め込めば、図１（ｂ）に示すように、清掃体１３は溝１１内に隙間無く入り込んで、溝１１の開口幅ｔ１が径ｔ２より狭くなっているため、清掃体１３が容易に抜け出る事はない。このため、円筒の清掃体１３であっても溝１１の中で回転するようなことがなく、取り付け強度の高いものとなる。
清掃体１３の材質は熱可塑性連続気泡の多孔質プラスチックに限らず、棒状清掃体とし得る弾性体であれば、何れでも良い。また、円筒状に限らず、角筒状であったり、無垢（中実）の円柱状であったり、角柱状であったりとし得る。このとき、筒状の中空であればさらに収縮変形しやすく、上記溝内への嵌り込みや清掃時の押圧力がさらに得られる等の好ましい態様となる。
【００２３】
クリーナ本体１０の後部は棒状把持部１４となって、その表面に綾目等のローレット加工１５が施されて滑り止めがなされている。この把持部１４の長さ（軸方向）は、その後面を掌に当てて外周面を把持できる程度とする。
把持棒２０は、上記クリーナ本体１０の円筒状把持部１４に差し込み可能となっており、把持部１４の孔１６から取り付けねじ１７をねじ孔２７にねじ込むことによってクリーナ本体１０に一体となる。把持棒２０にもローレット加工２５が施されて滑り止めがなされている。
【００２４】
このクリーナＡ１によって、例えば、図８（ｂ）に示す、ＢＴシャンクの工具ホルダＴ１用主軸Ｍにあっては、同図（ａ）に示すように、従来と同様に、円錐台状の穴ＨにクリーナＡ１を差し込んでその軸心周りに回転することによって清掃する。このとき、通常、主軸Ｍの前方は広いスペースがあるため、把持棒２０は装着した状態で行う（同図鎖線状態）。図中、Ｄはドロバー、ＣはそのドロバーＤ先端の工具ホルダＴ１のプルスタットＰの把持用コレットである。
マシニングセンター等の工具ホルダ収納ポットの穴清掃の場合は、その作業が狭いスペースで行うこととなる場合が多いため、図８（ａ）実線に示すように、把持棒２０を外して清掃する。この場合は、把持部１４の後面を掌に当てて外周面を把持して清掃を行う。
クリーナＡ１のクリーナ本体１０の傾斜度合（図１のθ参照）と穴Ｈの円錐台状周面の傾斜度合が異なれば、クリーナＡ１を穴Ｈの軸心に対し傾け回転等して穴Ｈ内周面全域に清掃体１３を摺接してその全域の汚れを除去する。
【００２５】
清掃体１３が摩耗などして交換する場合、その交換は、例えば、図２鎖線に示すように、棒材３０を清掃体１３の中心孔１３ａに差し込んで持ち上げることによって行う。溝１１から清掃体１３が取り外されれば、新たな清掃体１３を溝１１に嵌め込む。棒材３０は図示のように、二本を一体としたものとすれば、二本の清掃体１３、１３を同時に取り外すことができる。清掃体１３は中心孔１３ａを有しない無垢の弾性体とし得る。
【００２６】
クリーナ本体１０の形状としては、上記実施形態に限らず、被清掃面の形状・大きさ等に応じて適宜に決定すれば良い。例えば、図３に示すように、把持部１４の形状を変えたり、図４に示すように、ＨＳＫシャンク(中空テーパシャンク）に対応する、テーパ筒状部分とその縁の鍔部１０ａとに清掃面を有する中空のクリーナ本体１０としたりし得る。このとき、鍔部１０ａの面（側面）の上記溝１１と同一形状（ｔ１＜ｔ２）の溝１１に清掃体１３を嵌め込み取り付けする。
【００２７】
図３に示す実施形態のクリーナＡ２は、クリーナ本体１０の先端部が同一径の筒状となっているため、例えば、図９に示すように、工具ホルダＴ２の同一形状工具取り付け穴Ｈ等に嵌めてその内周面を清掃する。
このクリーナＡ２の場合、被清掃面（嵌合穴Ｈ内面）が全長に亘って同一径の円筒状であると、通常、穴内面とクリーナＡ２外面とに隙間が生じるため、クリーナＡ２をその軸心回りに回転させるだけではきれいに拭き取れない恐れがある。しかし、清掃体１３が弾性材からなる円筒状であれば、清掃体１３が膨縮して穴内面に倣い同径となるため、クリーナＡ２を穴に押し込むことができ、押し込めれば、回転させて綺麗に拭き取ることができる。特に、図３に示すクリーナＡ２のように、テーパ面とストレート面が連続しているものにあっては、この作用による利点が顕著となる。
【００２８】
図４に示す実施形態のクリーナＡ３は、例えば、図１０（ｂ）に示す、ＨＳＫシャンクの工具ホルダＴ３用主軸Ｍにあって、同図（ａ）に示すように、従来と同様に、その穴ＨにクリーナＡ３を差し込んで回転することによって清掃する。図中、Ｃ１はドロバーＤ先端の工具ホルダＴ３のＨＳＫ用コレットである。
通常、この種のテーパ筒状部分と鍔部１０ａとに清掃面を有するクリーナによって、図１０に示す、テーパ面と端面の２面を有する嵌合穴Ｈのその両面を同時に清掃する場合、テーパ筒状部分の清掃面が嵌合穴Ｈのテーパ面に当たると、鍔部１０ａの清掃面と嵌合穴Ｈの端面との間には隙間が生じ易い。このとき、ドロバー等の機械的な機構による引っ張り力（例えば、５７００Ｎ）であれば、テーパ面に当たる筒状部分を変形させたり、鍔部を変形させたりして鍔部１０ａの清掃面を嵌合穴Ｈの端面に当てることができるが、この種の清掃は手作業で行うため、そのクリーナの変形は容易ではなく殆ど不可能である。すなわち、手作業の力ではクリーナ本体１０等は変形し得ず、両面に清掃面を強く当てることはできない。しかし、このクリーナＡ３の清掃体１３は弾性材からなる中空の円筒状であるため、その変形量を多く得やすい。このため、テーパ面と端面の２面を有する嵌合穴Ｈのその両面に対し、前記テーパ面にクリーナ本体１０の円錐台状外面（テーパ面）、前記端面に前記外面端縁から立ち上がる端面（鍔部１０ａ側面）のそれぞれの清掃体１３がそれぞれ当接し、同時に強く当てて清掃することができる。なお、各清掃体１３の取付面（テーパ筒状部分外面及び鍔部側面）からの突出量は、弾性清掃体１３の縮径によりテーパ面の傾きに応じてテーパ面及び端面に同時に強く当接し得るように適宜に設定する。
【００２９】
また、図５に示すように、有底円筒クリーナ本体１０の内周面及び端面の溝１１に清掃体１３を嵌め込み取り付けしたクリーナＡ４とすれば、例えば、図１１に示す、ＨＳＫシャンクの工具ホルダＴ３のシャンク外周面に嵌めて回転することによってその外周面を清掃することができる。この場合も、清掃体１３は弾性材からなる中空の円筒状であるため、その変形量を多くして、テーパ面と端面の２面を有する嵌合穴Ｈのその両面を同時に強く当てて清掃することができる。
【００３０】
さらに、クリーナ本体１０の態様としては、図６に示すように、断面三角形状とし、その各稜の溝１１に清掃体１３を嵌め込み取り付けし、さらに、平面部に起伏自在の起伏片１９を設け、その起伏片１９の外面に清掃体１３を上記溝１１と同一形状（ｔ１＜ｔ２）の溝１１を介して設けたものとすることができる。
起伏片１９は、基部１９ａをピン１９ｂを介して径方向に回転自動に取付け、バネ（図示せず）によって径方向外側に揺動可能としている。ピン１９ｂを設けず、起伏片１９自身の弾性によって径方向外側に起立可能とすることもできる。
【００３１】
この実施形態のクリーナＡ５は、例えば、図９に示すように、ＨＳＫ規格の工具ホルダＴ２のシャンク（ＨＳＫシャンク）のようにその穴Ｈの開口部に内方に突出する鍔Ｆ等の凸部がある場合、起伏片１９を鎖線のように倒伏させて穴Ｈ内に差し込み、その後、起伏片１９を起立させて起伏片１９の清掃体１３を穴Ｈの内面に摺動させて清掃する。このクリーナＡ５は穴Ｈの全内周面を清掃し得る。このとき、前記鍔ＦやクーラントダクトＧの存在によって、穴Ｈ内に指も入らない場合にあっても、起伏片１９の起伏によって、クリーナＡ５は穴Ｈの全内周面に嵌ってその全内周面を清掃し得る。すなわち、シャンク嵌合穴Ｈの内径が１４ｍｍ程度であっても、起伏片１９の倒伏時の外径が鍔Ｆ内を通り抜ける大きさであれば、その穴Ｈの全内周面を清掃することができる。
【００３２】
上記実施形態においては、円柱状清掃体１３の外径ｒ：５ｍｍ、溝１１の縦断面径ｄ：４．７ｍｍ（ｄ/ｒ＝０．９４）、同ｒ：３ｍｍ、同ｄ：２．７（ｄ/ｒ＝０．９）、同ｒ：２ｍｍ、同ｄ：１．８（ｄ/ｒ＝０．９）の３通りを試作して、図１（ｃ）に示すように、各溝１１に清掃体１３を嵌め込み、適宜な太さ（径）のクリーナ本体１０や被清掃面の適宜な大きさにおいて清掃試験をしたところ、弾性体の清掃体１３は溝１１の内周全面にしっかり密着して飛び出す（抜け出る）こともなく、円滑な清掃を行うことができた。
【００３３】
上記クリーナ本体１０と把持棒２０との連結は、着脱可能な態様であれば、種々の構造を採用することができる。例えば、図７に示すように、把持棒２０のボルト２１をクリーナ本体１０の雌ねじ孔１４ａにねじ込むことによって両者１０、２０を連結する。このとき、クリーナ本体１０と把持棒２０の対向面の少なくとも一方には、放射方向の凹凸条の（スジ目）ローレット加工１５ａをすることが好ましい。このローレット加工１５ａは、他の各実施形態のクリーナ本体１０において、把持部１４の把持棒２０との対向面の少なくとも一方に形成することができる。図７では、把持棒２０の対向面にローレット加工１５ａを施した。
また、図１２に示すように、把持棒２０を筒状とすれば、その筒状内部に予備の棒状清掃体１３や他の各種の部材等を収納することができる。その収納スペース２０ａの開口はねじ込み式やビス止めなどし得る蓋２８で閉じることが好ましい。さらに、把持棒２０や蓋２８には磁石Ｍを内蔵したり、付着させたり、フックを設けたり、チェーン等のストラップ２９を設けたり等して、工作機械周辺やその部品収納スペース、作業スペースにクリーナＡ（Ａ１〜Ａ５）を設置し易くする。
【００３４】
以上から、この発明は、ＨＳＫ規格の主軸Ｍや工具ホルダシャンクのような複雑な構造を有する穴であっても、弾性体の清掃体１３が溝１１の内周全面にしっかり密着して飛び出すこともなく清掃することができるとともに、清掃体１３を容易に取り付け・取外しを行うことができることが理解できる。
また、清掃体１３を容易に取り付け・取外しを行うことができれば、上記各実施形態において、溝１１の形状は、断面円形に限らず、溝１１の開口１１ａが幅狭となって、溝１１に嵌めた清掃体１３が抜け出なければ（飛び出なければ）、四角等の多角形や蟻溝形などでも良い。また、クリーナ本体１０の形状は、清掃対象物に応じて適宜に変更し得ることは勿論であり、その断面形状は、円形や三角形に限らず、楕円形、四角等の他の多角形とし得る。多角形の場合、正多角形が好ましい。
さらに、清掃体１３は、円筒状の棒材に限らず、上記各実施形態（Ａ１〜Ａ５）において、円柱状、角筒状、角柱状等と溝１１に嵌って抜け止めされ得る形状であれば、適宜に選択し得ることは言うまでもない。
【００３５】
上記各クリーナＡ（Ａ１〜Ａ５）は、上記主軸Ｍ、ＨＳＫシャンクのみならず、清掃の必要なＢＴシャンク等の各種の工具ホルダの内外周面等の種々の工作機械部品の穴や外周面の清掃に使用し得ることは言うまでもない。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【００３６】
なお、図６に示した、清掃体１３を有する起伏片１９をクリーナ本体１０の外周面に設けた態様は、本願に係る発明に係わらず、清掃体１３を接着固定したクリーナ等の従来の種々の態様のクリーナに適応できる。
【符号の説明】
【００３７】
Ａ、Ａ１、Ａ２、Ａ３、Ａ４、Ａ５  クリーナ
Ｍ  主軸
Ｔ１、Ｔ２、Ｔ３  工具ホルダ
Ｈ  嵌合穴（取付穴）
ｄ  溝の径
ｔ１：円形溝の長さ方向の開口幅
ｔ２  円形溝の径
ｒ  棒状清掃体の径
１０  クリーナ本体
１１  溝
１１ａ  溝の端面開口
１１ｂ  溝の外周面開口
１３  棒状清掃体
１３ａ  棒状清掃体の端面孔
１４  棒状把持部
１５  ローレット加工
１６  貫通孔
１７  ねじ
１９  起伏片
２０  棒
２０ａ  清掃体収納部（収納スペース）
２５  ローレット加工
３０  棒材
【図１】
2019098489.tif 000003
【図２】
2019098489.tif 000004
【図３】
2019098489.tif 000005
【図４】
2019098489.tif 000006
【図５】
2019098489.tif 000007
【図６】
2019098489.tif 000008
【図７】
2019098489.tif 000009
【図８】
2019098489.tif 000010
【図９】
2019098489.tif 000011
【図１０】
2019098489.tif 000012
【図１１】
2019098489.tif 000013
【図１２】
2019098489.tif 000014